(57)【要約】  【課題】自動点検中に系統事故が発生したときでも速やかにトリップする。  【解決手段】点検処理でステップＳ５により異常なし（Ｙ）と判定されたなら、ステップＳ２１で一括側保護リレーが動作したかを判定し、（Ｎ）ならステップＳ７のＦＳ側点検処理を行ない、この点検処理でステップＳ８が異常ないと判定したなら、ステップＳ９で点検回数を歩進し、その後ステップＳ１０でトリップロックを解除してステップＳ１１で点検終了する。ステップＳ５とＳ８の判定で、（Ｎ）ならステップＳ１２に進み、リトライ点検が済んだかを判定し、（Ｎ）ならステップＳ２２の高調波点検異常かを判定し、（Ｙ）ならステップＳ２３の判定処理を行なう。ステップＳ２３は、メインまたはＦＳ側リレーの動作が有りかを判定し、（Ｙ）ならステップＳ１０からステップＳ１１に進んで点検終了する。ステップＳ２３で（Ｎ）ならステップＳ１４の処理からステップＳ４に進む。  【選択図】図２
2009095204.tif 000002
【特許請求の範囲】
【請求項１】
一括側保護リレー処理部と、分割側保護リレー処理部及びトリップ動作制御部から構成された保護継電装置における自動点検中の系統事故対応方法において、
点検開始後、一括側保護リレーの点検処理を行い、異常無しなら分割側保護リレーの点処理を行い、異常が無いならトリップロックを解除し、前記一括側または分割側保護リレーの点検中に異常ありならリトライ点検を行い、点検済みでないなら系統事故発生に対応する処理工程でトリップロックを解除することを特徴とする保護継電装置における自動点検中の系統事故対応方法。
【請求項２】
前記処理工程は、高調波点検異常があるかを判定する第１判定工程と、この工程で異常があると判定したときには、一括側保護または分割側保護リレーが動作有りと判定する第２判定工程とからなることを特徴とする請求項１記載の保護継電装置における自動点検中の系統事故対応方法。
【発明の詳細な説明】
【技術分野】
【０００１】
本発明は、保護継電装置における自動点検中の系統事故対応方法に関するものである。
【背景技術】
【０００２】
保護継電装置には、点検中に高調波を印加し高調波監視を実施し、また、点検リトライ中にトリップロック出力を戻さない仕様で製作されたものがある。このような仕様で製作された保護継電装置においては、メイン・リレー側の点検とＦＳ（フェイルセーフ）側の点検を、図３のような自動点検処理フローチャートに示すような方法で行なっている。
【０００３】
図３において、ステップＳ１で点検を開始し、ステップＳ２で起動条件の確認を判断し、条件成立ならステップＳ３でトリップロック（１１Ｔ切）の処理を行なう。この処理の後、メイン側点検処理（ＤＯ点検、高調波点検）のステップＳ４を行なう。
【０００４】
この点検処理の後、ステップＳ５で異常無しかを判定し、（Ｙ）なら、次にＦＳ側リレー動作の判定をステップＳ６で行なう。この動作判定で（Ｎ）ならＦＳ側点検処理（ＤＯ点検、高調波点検）のステップＳ７を行なう。この処理で異常無しかを、ステップＳ８で判定し、（Ｙ）ならステップＳ９の点検回数歩進の処理に進んだ後、トリップロック（１１Ｔ）の解除処理のステップＳ１０を行なって点検終了ステップＳ１１に進む。
【０００５】
前記ステップＳ５とステップＳ８の異常無しかの判定で、（Ｎ）ならリトライ点検済みかの判定ステップＳ１２に進み、（Ｙ）ならステップＳ１３の処理で異常出力であることをステップＳ１０に与える。また、ステップＳ１２の判定で、（Ｎ）ならリトライ中１１Ｔを解除しないように一定時間待機処理するステップＳ１４を介してステップＳ４に処理を戻す。なお、ステップＳ２の判定で条件不成立なら点検を終了するステップＳ１１に進む。
【０００６】
上記に示すような処理方法で行なうため、リトライ点検中にメイン側またはＦＳ側リレーが動作していた場合、トリップロック（１１Ｔ）を解除しない処理（図中破線で囲んだ部分）で、系統事故の対応を行なっている。
【特許文献１】特開平９−２６１８４１号公報
【発明の開示】
【発明が解決しようとする課題】
【０００７】
上記図３に示した保護継電装置の自動点検処理フローチャートにおいて、自動点検の高調波監視実施中に万一系統事故が発生した場合、図４に示すメイン側高調波点検の区間ＡとＦＳ側高調波点検の区間Ｂの２区間では、高調波監視のために基本周波数ｆに対する第３次高調波ｆ3の入力を印加している。この間に系統事故が起こると、監視のための第３次高調波ｆ3入力に事故波形電流が重畳されて正常な高調波電流の検出が出来なくなり、高調波点検異常を誤検出するおそれがある。このとき、点検リトライ待機のため、トリップロックが継続状態となり、リトライ時間の間、リレー動作が遅れ、トリップ出力が遅れてしまう問題がある。
【０００８】
本発明は、上記の事情に鑑みてなされたもので、自動点検中に系統事故が発生したときでも速やかに遮断器をトリップすることができるようにした保護継電装置における自動点検中の系統事故対応方法を提供することを課題とする。
【課題を解決するための手段】
【０００９】
本発明は、上記の課題を達成するために、第１発明は、一括側保護リレー処理部と、分割側保護リレー処理部及びトリップ動作制御部から構成された保護継電装置における自動点検中の系統事故対応方法において、
点検開始後、一括側保護リレーの点検処理を行い、異常無しなら分割側保護リレーの点処理を行い、異常が無いならトリップロックを解除し、前記一括側または分割側保護リレーの点検中に異常ありならリトライ点検を行い、点検済みでないなら系統事故発生に対応する処理工程でトリップロックを解除することを特徴とするものである。
【００１０】
第２発明は、前記処理工程が、高調波点検異常があるかを判定する第１判定工程と、この工程で異常があると判定したときには、一括側保護または分割側保護リレーが動作有りと判定する第２判定工程とからなることを特徴とするものである。
【発明の効果】
【００１１】
本発明によれば、高調波監視実施タイミングにおける系統事故発生時において、リトライ待ち処理を抜けて速やかに遮断器をトリップすることができる利点がある。
【発明を実施するための最良の形態】
【００１２】
以下本発明の実施の形態を図面に基づいて説明する。図１は本発明の実施の形態を示す保護継電装置の概略構成説明図である。まず、図１を説明する前に、一括側保護リレーと分割側保護リレーの定義を述べる。一括側保護リレーとは、短絡保護用電流差動リレー８７Ｓの差電流演算に用いる入力に、全ての母線に接続された回線の電流の総和を用いたリレーであり、分割保護リレーとは、母線毎に接続回線の電流の和を用いるリレーである。
【００１３】
図１において、保護継電装置１１は、一括側保護リレー処理部１２、分割側保護リレー処理部１３及びトリップ動作制御部１４から構成されている。１５は遮断器のトリップコイルで、トリップ動作制御部１４からの制御信号で動作する。
【００１４】
一括側保護リレー処理部１２と分割側保護リレー処理部１３は、各々の点検中信号を、ＮＯＴ回路１２ａ，１３ａを介してトリップ動作制御部１４のオア回路１４ａに与え、オア回路１４ａの出力で、接点１１Ｘをオフにし、両点検中信号が無くなると、接点１１Ｘをオンにする。すなわち、点検中信号がないときは、接点１１Ｘは常時オンになっている。
【００１５】
また、一括側保護リレーの動作信号、あるいは、一括側保護リレーの点検指令信号は、オア回路１２ｂを介して８７ＢＸをオンにし、分割側保護リレーの動作信号、あるいは、分割側保護リレーの点検指令信号は、オア回路１３ｂを介して８７ＤＸをオンにする。
【００１６】
次に、図２に示す自動点検フローチャートを用いて保護継電装置の点検を行なう場合について説明するに、図３のフローチャートと同一ステップには同一ステップ番号を付して述べる。
【００１７】
図２において、まず、ステップＳ１で点検を開始し、起動条件（接点１１Ｘオフ）をステップＳ２で確認する、確認の結果、条件成立なら、トリップロック（接点１１Ｘオフ）処理をステップＳ３で行なった後、メイン側（一括側保護リレー）点検処理を行なう。
【００１８】
この点検処理でステップＳ５により異常なし（Ｙ）と判定されたなら、ステップＳ２１で一括側保護リレーが動作したかを判定し、（Ｎ）ならステップＳ７のＦＳ側点検処理を行ない、この点検処理が異常ないとステップＳ８が判定したなら、ステップＳ９の処理に進んで、点検回数を歩進する。その後、ステップＳ１０でトリップロックを解除してステップＳ１１で点検を終了する。なお、ステップＳ２１で（Ｙ）と判定したなら、ステップＳ１０からステップＳ１１に進んで点検を終了する。
【００１９】
前記ステップＳ５とステップＳ８の判定で、（Ｎ）ならステップＳ１２に進み、リトライ点検が済んだかを判定し、（Ｙ）なら異常出力処理としてステップＳ１３からステップＳ１０の処理をして点検を終了する。また、ステップＳ１２で（Ｎ）ならステップＳ２２の高調波点検異常かを判定し、（Ｎ）ならステップＳ１４に進んで一定時間待機した後に、ステップＳ４から処理を行なう。
【００２０】
ステップＳ２２で（Ｙ）ならステップＳ２３の判定処理を行なう。ステップＳ２３は、メインまたはＦＳ側リレーの動作が有りかを判定し、（Ｙ）ならステップＳ１０からステップＳ１１に進んで点検を終了する。ステップＳ２３で（Ｎ）ならステップＳ１４の処理からステップＳ４に進む。
【００２１】
上記自動点検処理フローチャートにおいて、図中破線で囲んだステップＳ２２とステップＳ２３が、本発明の特徴となるトリップロックを解除する処理である。
【図面の簡単な説明】
【００２２】
【図１】本発明の実施の形態を示す保護継電装置の概略構成説明図。
【図２】保護継電装置の自動点検を行なう場合のフローチャート。
【図３】保護継電装置の自動点検処理フローチャート。
【図４】高調波点検異常検出タイミングチャート。
【符号の説明】
【００２３】
１１…保護継電装置
１２…一括側保護リレー処理部
１３…分割側保護リレー処理部
１４…トリップ動作制御部
【図１】
2009095204.tif 000003
【図２】
2009095204.tif 000004
【図３】
2009095204.tif 000005
【図４】
2009095204.tif 000006